(57)【要約】      （修正有）【課題】汁物食品を食する場合であっても、口角の外側から汁物が溢れたり漏れたりせずに、飲み易くすることができ、しかも、安定的に積み重ねて省スペースに保管することもできる凹み飲み口椀体を提供すること。【解決手段】汁物食品Ｆを収容可能な椀状の器体であって、椀本体１の収容部は、底面から上端の口縁部11に向けて口径が逓増的に拡開しており、かつ、この口縁部11の周縁には、エッジレベルより相対的に低位なるアシスト凹部11ａが形成されており、このアシスト凹部11ａを下にして椀本体１を傾倒したとき、収容された汁物食品Ｆを当該アシスト凹部11ａから口内へ円滑に導出できるように構成するとともに、こうして作製された複数の当該品を重ね合わせて入子式に収納できるようにするという技術的手段を採用した。【選択図】図５
0003115427.tif 000002
【実用新案登録請求の範囲】
【請求項１】
汁物食品Ｆを収容可能な椀状の器体であって、
椀本体１の収容部は、底面から上端の口縁部11に向けて口径が逓増的に拡開しており、かつ、この口縁部11の周縁には、エッジレベルより相対的に低位なるアシスト凹部11ａが形成されており、このアシスト凹部11ａを下にして椀本体１を傾倒したとき、収容された汁物食品Ｆを当該アシスト凹部11ａから口内へ円滑に導出できるように構成するとともに、
こうして作製された複数の当該品を重ね合わせて入子式に収納できるようにしたことを特徴とする凹み飲み口椀体。
【請求項２】
椀本体１の底面に高台２が付設されていることを特徴とする請求項１記載の凹み飲み口椀体。
【請求項３】
椀本体１の器内面12には略水平な掛止段部12ａが形成されており、蓋部材３を載置可能にしたことを特徴とする請求項１または２記載の凹み飲み口椀体。
【請求項４】
椀本体１の外周面13の少なくとも一部に、指掛け凸条13ａが成形されていることを特徴とする請求項１〜３の何れか一つに記載の凹み飲み口椀体。
【請求項５】
椀本体１の口縁部11が外反り形状に作製されていることを特徴とする請求項１〜４の何れか一つに記載の凹み飲み口椀体。
【請求項６】
椀本体１がプラスチック材料で作製されていることを特徴とする請求項１〜５の何れか一つに記載の凹み飲み口椀体。
【請求項７】
椀本体１の表面が少なくとも２色以上に着色塗装されていることを特徴とする請求項１〜６の何れか一つに記載の凹み飲み口椀体。
【考案の詳細な説明】
【技術分野】
【０００１】
本考案は、食器の改良、更に詳しくは、汁物食品を食する場合であっても、口角の外側から汁物が溢れたり漏れたりせずに、飲み易くすることができ、しかも、安定的に積み重ねて省スペースに保管することもできる凹み飲み口椀体に関するものである。
【背景技術】
【０００２】
周知のとおり、味噌汁や吸い物などの汁物食品を食する場合には、深底のお椀が食器として用いられている。かかるお椀の形状は実に様々であるが、例えば、「特許文献１」に示すように、口縁部の開口エッジ形状が真っ直ぐであるものが一般的であった。
【０００３】
しかしながら、かかるお椀にあっては、口唇をつけて、お椀を傾けて汁物食品を飲もうとするとき、お椀を傾け過ぎたり、あるいは急激に傾けたりすると、汁物が勢い余って口角の外側を乗り越えて溢れ漏れてしまうという不便があり、特に、幼児や高齢者などの食事に介添えが必要な者にとっては、切実な問題であった。
【０００４】
一方、飲食店や医療、介護施設などにおいては、業務用として食器を大量に使用するため、これらを収納しておくために、限られた空間の中にあっても、一定のスペースを確保する必要がある。
【０００５】
ところが、食器をできるだけ多く収納しようとしても、食器形状により重ね合わせが悪いと、崩れ易いため、高く積み重ねることができず、結局、嵩張って多くのスペースを占拠してしまうという問題がある。
【特許文献１】登録実用新案第３０５５４９９号公報  （第５−６頁、図１）
【考案の開示】
【考案が解決しようとする課題】
【０００６】
本考案は、従来の食器に上記のような問題があったことに鑑みて為されたものであり、その目的とするところは、汁物食品を食する場合であっても、口角の外側から汁物が溢れたり漏れたりせずに、飲み易くすることができ、しかも、安定的に積み重ねて省スペースに保管することもできる凹み飲み口椀体を提供することにある。
【課題を解決するための手段】
【０００７】
本考案者が上記課題を解決するために採用した手段を添付図面を参照して説明すれば、次のとおりである。
【０００８】
即ち、本考案は、汁物食品Ｆを収容可能な椀状の器体であって、
椀本体１の収容部は、底面から上端の口縁部11に向けて口径が逓増的に拡開しており、かつ、この口縁部11の周縁には、エッジレベルより相対的に低位なるアシスト凹部11ａが形成されており、このアシスト凹部11ａを下にして椀本体１を傾倒したとき、収容された汁物食品Ｆを当該アシスト凹部11ａから口内へ円滑に導出できるように構成するとともに、
こうして作製された複数の当該品を重ね合わせて入子式に収納できるようにするという技術的手段を採用した。
【０００９】
また、本考案は、上記課題を解決するために、必要に応じて上記手段に加え、椀本体１の底面に高台２を付設するという技術的手段を採用した。
【００１０】
更にまた、本考案は、上記課題を解決するために、必要に応じて上記手段に加え、椀本体１の器内面12には略水平な掛止段部12ａを形成し、蓋部材３を載置可能にするという技術的手段を採用した。
【００１１】
更にまた、本考案は、上記課題を解決するために、必要に応じて上記手段に加え、椀本体１の外周面13の少なくとも一部に、指掛け凸条13ａを成形するという技術的手段を採用した。
【００１２】
更にまた、本考案は、上記課題を解決するために、必要に応じて上記手段に加え、椀本体１の口縁部11を外反り形状に作製するという技術的手段を採用した。
【００１３】
更にまた、本考案は、上記課題を解決するために、必要に応じて上記手段に加え、椀本体１をプラスチック材料で作製するという技術的手段を採用した。
【００１４】
更にまた、本考案は、上記課題を解決するために、必要に応じて上記手段に加え、椀本体１の表面を少なくとも２色以上に着色塗装するという技術的手段を採用した。
【考案の効果】
【００１５】
本考案にあっては、椀本体の収容部を、底面から上端の口縁部に向けて口径を逓増的に拡開させて、かつ、この口縁部の周縁には、エッジレベルより相対的に低位なるアシスト凹部を形成したことにより、このアシスト凹部を下にして椀本体を傾倒したとき、収容された汁物食品を当該アシスト凹部から口内へ円滑に導出できるように構成することができる。
【００１６】
したがって、汁物食品を食する場合であっても、口角の外側から汁物が溢れたり漏れたりせずに、飲み易くすることができる。
【００１７】
また、こうして作製された複数の当該品を重ね合わせて入子式に収納できるようにしたことにより、安定的に積み重ねて省スペースに保管することもできることから、産業上における利用価値は頗る高いものがある。
【考案を実施するための最良の形態】
【００１８】
本考案を実施するための最良の形態を具体的に図示した図面に基づいて更に詳細に説明すると、次のとおりである。
【００１９】
本考案の実施形態を図１から図５に基づいて説明する。図中、符号１で指示するものは椀本体であり、この椀本体１は、汁物食品Ｆを収容可能な椀状の器体であって、その収容部は、底面から上端の口縁部11に向けて口径が逓増的に拡開しており、かつ、この口縁部11の周縁には、エッジレベルより相対的に低位なるアシスト凹部11ａが（本実施形態では３箇所に）形成されている。
【００２０】
本実施形態では、椀本体１をプラスチック材料により作製することができ、例えば、ＡＢＳ、ポリプロピレン（ＰＰ）系、ポリフェニレンエーテル（ＰＰＥ）系、ＡＢＳ／ＰＣ（ポリカーボネート）系、ポリアミド系などのポリマーアロイやＦＲＰなどのエンジニアリングプラスチックを採用することができ、常法の射出成形により作製する。
【００２１】
かかる強化プラスチック材料で作製することによって、食器洗浄機による熱水洗浄や、高温乾燥機による熱風に対しても、変形することなく、優れた耐久性（耐熱性）を発揮することができる。
【００２２】
また、符号２で指示するものは、前記椀本体１の底面に付設した高台であり、この高台２によって当該椀本体１を安定的に定置することができる（図１参照）。
【００２３】
また、本実施形態では、必要に応じて、椀本体１の器内面12には略水平な掛止段部12ａを形成することにより、蓋部材３を載置可能に構成することが可能である（図２および３参照）。
【００２４】
しかして、本考案の椀体を使用して汁物食品を食する場合であっては、図４に示すように、前記アシスト凹部11ａを下にして椀本体１を傾倒したとき、収容された汁物食品Ｆを当該アシスト凹部11ａから口内へ円滑に導出できるように構成されているので、口角の外側から汁物が溢れたり漏れたりせずに、飲み易くすることができるのである。
【００２５】
この際、椀本体１の口縁部11を外反り（端反り）形状に作製することができ、流動を良くすることもできる。
【００２６】
なお、本考案にかかる椀体は、図５に示すように、椀本体１の外周面13の外郭形状が、器内面12に内接できるようにしたので、こうして作製された複数の当該品を重ね合わせて入子式に収納でき、安定的に積み重ねて省スペースに保管しておくこともできるので、小型店舗などにおいて有効である。
【００２７】
また、本実施形態では、椀本体１の外周面13の少なくとも一部に、指掛け凸条13ａを成形することができる。本実施形態では、上下方向に亙り成形し、この指掛け凸条13に指を引っ掛けることにより、滑り止めとなって確実に把持することができる。
【００２８】
椀本体１の表面を少なくとも２色以上に塗り分けるなどして着色塗装することができ、装飾性を付与することができるとともに、境界部分に前記指掛け凸条13を適宜成形することもできる。
【００２９】
本考案は、概ね上記のように構成されるが、本考案は図示の実施形態に限定されるものでは決してなく、「実用新案登録請求の範囲」の記載内において種々の変更が可能であって、例えば、椀本体１の使用材料は、ポリプロピレン（ＰＰ）やポリエチレン（ＰＥ）、ポリエチレンテレフタレート（ＰＥＴ）などのプラスチック材料、あるいは、セラミックや陶磁器、木材、漆器、ガラスなどを採用することもできる。また、アシスト凹部11ａは３箇所に限らず、数量は適宜変更することができ、これら何れのものも本考案の技術的範囲に属する。
【図面の簡単な説明】
【００３０】
【図１】本考案の実施形態の椀本体を表わす全体斜視図である。
【図２】本考案の実施形態の椀本体を表わす全体上面図である。
【図３】本考案の実施形態の椀本体に蓋部材を載置した状態を表わす全体側面図である。
【図４】本考案の実施形態の椀本体の使用状態を表わす説明断面図である。
【図５】本考案の実施形態の椀体を積み重ねた状態を表わす説明側面図である。
【符号の説明】
【００３１】
１    椀本体
11    口縁部
11ａ  アシスト凹部
12    器内面
12ａ  掛止段部
13    外周面
13ａ  指掛け凸条
２    高台
３    蓋部材
【図１】
0003115427.tif 000003
【図２】
0003115427.tif 000004
【図３】
0003115427.tif 000005
【図４】
0003115427.tif 000006
【図５】
0003115427.tif 000007